(57)【要約】【課題】水洗トイレのロータンク付き手洗い部に載置することにより、薬液タンク内の薬液をロータンク内に簡便な機構で混入させることができるが、薬液タンク内の薬液が次第に希釈されていく薬液吐出容器において、その薬液の使用を終了すべき時期が的確にわかるようにする。【解決手段】薬液Ａを収容する薬液タンク１、及び薬液タンク１の下方に設けられた薬液吐出ノズル４からなり、水洗トイレのロータンクの手洗い部に載置され、薬液吐出ノズル４の先端開口部５が手洗い部２０に供給された水に洗われ、薬液吐出ノズル４を通して薬液タンク１からロータンクに薬液Ａが吐出されると共に薬液タンク１内に水が入り、薬液Ａが希釈されていく薬液吐出容器１００Ａにおいて、薬液の比重を１．００以上１．５０以下、薬液の粘度を１〜３０００ｍＰａ・ｓ、薬液吐出ノズルの先端開口部の口径を０．５〜１０ｍｍとする。【選択図】    図１
2005036495.tif 000002
【特許請求の範囲】
【請求項１】
薬液を収容する薬液タンク、及び薬液タンクの下方に設けられた薬液吐出ノズルからなり、水洗トイレのロータンクの手洗い部に載置され、薬液吐出ノズルの先端開口部が手洗い部に供給された水に洗われ、薬液吐出ノズルを通して薬液タンクから薬液が吐出されると共に薬液タンク内に水が入り、薬液が水で希釈されていく薬液吐出容器であって、
薬液の比重が１．００以上１．５０以下、
薬液の粘度が１〜３０００ｍＰａ・ｓ、
薬液吐出ノズルの先端開口部の口径０．５〜１０ｍｍ
である薬液吐出容器。
【請求項２】
手洗い部に供給された水を薬液吐出ノズルの方に流し、薬液吐出ノズルに沿って流下させる水誘導構造が薬液吐出容器の底部に設けられている請求項１記載の薬液吐出容器。
【請求項３】
薬液吐出ノズルの先端開口部に当たる水量を調整する水量調整板が薬液吐出ノズルの周囲に設けられている請求項１記載の薬液吐出容器。
【請求項４】
薬液タンク内の薬液が水で希釈されたときの薬液タンクの外観色の変化を観察できるように、薬液タンクが透明又は半透明材料から形成されている請求項１記載の薬液吐出容器。
【請求項５】
薬液タンク内の薬液が水で所定の割合に希釈されたときの薬液タンクの外観色を、少なくとも一部に有する着色部材が設けられている請求項４記載の薬液吐出容器。
【請求項６】
請求項１〜５のいずれかに記載の薬液吐出容器の薬液タンクに、有色のトイレ洗浄液が充填されてなるトイレ洗浄用品。
【発明の詳細な説明】
【技術分野】
【０００１】
本発明は、水洗トイレの手洗い付きロータンクの手洗い部に載置し、手洗い部の上方のカランから給水により、ロータンク内に薬液（芳香剤、洗浄剤、殺菌剤等）を吐出する薬液吐出容器に関する。
【背景技術】
【０００２】
水洗トイレの手洗い付きロータンクの手洗い部に載置し、手洗い部の上方のカランから供給される水に薬液（芳香剤、洗浄剤、殺菌剤等）を混合するために用いる薬液吐出容器として、特許文献１に記載されている水洗トイレ用薬剤供給具が知られている。この薬剤供給具は、液状の薬剤を収容する薬液タンク（薬剤容器）の底部に薬剤の導出孔を設け、その導出孔から薬剤を含浸体に導出して含浸させると共に、その含浸体が、カランから手洗い部に供給された水の流れに晒されるようにし、含浸体に含まれていた薬剤が水に溶解し、ロータンク内に流下するようにしたものである。
【０００３】
【特許文献１】特開２００１−３４２６６６号
【発明の開示】
【発明が解決しようとする課題】
【０００４】
上述の薬剤供給具は構造的に複雑であり、製造コストが高くつく。これに対し、より単純な機構のものとしては、図１０（ａ）に示すように、薬液Ａを収容する薬液タンク１と薬液タンク１の底部開口部２に取り付けたキャップ３からなり、キャップ３に薬液吐出ノズル４と足６を設けた薬液吐出容器１００ｘが考えられる。薬液吐出ノズル４の先端開口部５には、薬液Ａが、表面張力と薬液タンク１内が弱い負圧状態になることにより保持される。
【０００５】
図１０（ｂ）に示すように、この薬液吐出容器１００ｘを、ロータンクの手洗い部２０の吸水口２１上に載置し、水洗トイレの水をフラッシュさせることによりカランから手洗い部２０に矢印のように水Ｗが供給されると、その水Ｗは薬液Ａを保持した薬液吐出ノズル４を洗うようにしてロータンク内に流下するので、これにより薬液Ａがロータンク内に混入する。また、カランからの給水が止まった後においても、給水時に比して薬液タンク内の温度が上がり、ヘッドスペースが膨張することによって薬液Ａが吐出され、ロータンク内に混入する場合もある。したがって、この薬液吐出容器１００ｘによれば、単純な機構で薬液Ａをロータンク内に混入させることが可能となる。
【０００６】
しかしながら、この薬液吐出容器１００ｘによれば、薬液Ａが吐出されることにより、薬液タンク１内に空気が混入して薬液Ａの量が減少する場合と、水が混入して薬液Ａが希釈される場合とがあるため、薬液タンク１内の薬液Ａの全てが吐出された時期を、薬液吐出容器１００ｘの使用を終了すべき時期とすると、水が混入する場合には、薬液が希釈され、十分な薬効のない薬液が吐出される時期にまで使用が継続されてしまうという問題がある。
【０００７】
これに対し、本発明は、薬液の物性と薬液吐出容器の構造の適切な組合せにより、カランからの給水時に薬液が確実に吐出されるとともに、カランからの水を積極的に薬液タンク内に混入させ、薬液と水の置換を起こさせることにより、薬液タンク内の液量の減少を抑制し、これにより、薬液タンク内の液残量によって薬液吐出容器の使用終了の判断がなされることを防止し、希釈された薬液の色等の薬液濃度の低下に伴う事項に基づいて使用終了の判断が的確になされるようにすることを目的とする。
【課題を解決するための手段】
【０００８】
本発明者らは、水洗トイレのロータンク付き手洗い部に載置する簡便な機構の薬液吐出容器において、薬液タンクに充填する比重を１．００以上とすることにより、カランからの給水時に確実に薬液が吐出されるとともに、薬液と水が置換し、薬液タンク内の薬液が水で希釈されていくことを見出し、さらに希釈された薬液の色等の薬液の濃度低下に伴う事項に基づいて薬液の使用を終了すべき時期を的確に判断できることを見出した。
【０００９】
即ち、本発明は、薬液を収容する薬液タンク、及び薬液タンクの下方に設けられた薬液吐出ノズルからなり、水洗トイレのロータンクの手洗い部に載置され、薬液吐出ノズルの先端開口部が手洗い部に供給された水に洗われ、薬液吐出ノズルを通して薬液タンクから薬液が吐出されると共に薬液タンク内に水が入り、薬液が水で希釈されていく薬液吐出容器であって、
薬液の比重が１．００以上で１．５０以下、
薬液の粘度が１〜３０００ｍＰａ・ｓ、
薬液吐出ノズルの先端開口部の口径０．５〜１０ｍｍ
である薬液吐出容器を提供する。
【００１０】
また、本発明は、上述の薬液吐出容器の薬液タンクに、有色のトイレ洗浄液が充填されてなるトイレ洗浄用品を提供する。
【発明の効果】
【００１１】
本発明によれば、水洗トイレのロータンクの手洗い部に載置することにより、薬液タンク内の薬液をロータンク内に簡便な機構で混入させることができる薬液吐出容器において、カランからの給水時に確実に薬液を吐出させることができ、さらに、このカランからの給水時の薬液の吐出により、薬液タンク内の薬液を積極的に水で置換し、水で希釈することができる。したがって、希釈された薬液の色で薬液の使用を終了すべき時期を的確に知ることが可能となる。
【発明を実施するための最良の形態】
【００１２】
以下、図面を参照しつつ、本発明を詳細に説明する。なお、各図中、同一符号は同一又は同等の構成要素を表している。
【００１３】
図１は、本発明の一態様の薬液吐出容器１００Ａに薬液Ａを充填したトイレ洗浄用品２００Ａを正面から見た部分切り欠き断面図（ａ）、側面図（ｂ）、上面図（ｃ）及び底面図（ｄ）である。
【００１４】
この薬液吐出容器１００Ａは、薬液タンク１と、薬液タンク１の底部開口部２に取り付けられたキャップ３からなる。
【００１５】
薬液タンク１には、トイレ用芳香剤、洗浄剤、殺菌剤等の薬液Ａが充填されている。
【００１６】
薬液Ａの比重が、カランから給水された水の比重以上の場合に、カランから給水された水が薬液タンク１内の薬液Ａと置き換わる。より具体的には、カランからの給水時に、薬液タンク１内の薬液Ａが、薬液吐出ノズル４の先端開口部５が接している水流の水と置換し、その水流中に吐出される。したがって、薬液Ａの比重は、カランから給水された水の比重以上とし、通常の使用条件では、２０℃の薬液Ａの比重が１．００以上とし、好ましくは水置換の容易性の観点から、比重（２０℃）の下限を１.００より大きくし、より好ましくは１．０２以上、さらに好ましくは１．０３以上とする。これに対し、薬液の比重が水より小さいと、薬液吐出ノズル４の先端開口部５が水に接していても、薬液タンク１内の薬液Ａと水との置換は起こりにくくなる。
【００１７】
一方、比重の上限は、カランからの給水が停止している間の薬液タンク１からの薬液Ａの自然落下（所謂、ボタ落ち）を抑制する観点から、１．５０以下とし、好ましくは１．２０以下、より好ましくは１．１５以下とする。
【００１８】
薬液Ａの粘度（２０℃）は１〜３０００ｍＰａ・ｓとする。この粘度は、２０℃でＢ型粘度計６０ｒｐｍにより測定される値である。測定に用いるローターは、所定粘度の値から適切なものを用いる。
【００１９】
粘度が低すぎると、薬液Ａが過度に吐出されやすくなり、反対に粘度が高すぎると薬液Ａの流動性が低下し、吐出されなくなるが、１〜３０００ｍＰａ・ｓとすることにより、適度に薬液を薬液吐出ノズル４から吐出させることが可能となる。
【００２０】
なお、トイレ洗浄用品２００Ａの使用中に、薬液タンク１内の薬液Ａは、カランから給水された水に希釈され、比重は１．００に、粘度は１ｍＰa・s に漸近してくるが、上述の比重と粘度を有する薬液Ａと、本発明の薬液吐出容器１００Ａを使用した場合は、本発明の効果を奏する。
【００２１】
キャップ３の底部には薬液吐出ノズル４が該キャップ３と一体に形成されている。本発明においては、この薬液吐出ノズル４の先端開口部５の口径を０．５〜１０ｍｍとする。
口径が小さすぎると薬液Ａが吐出されにくく、大きすぎるとカランからの給水が停止している間に薬液吐出ノズル４を通して薬液と空気の置換が連続的に起こり、トイレの使用の有無に関わらず、薬液Ａが無くなっていく。
【００２２】
薬液Ａの比重、粘度、及び薬液吐出ノズル４の先端開口部５の口径を上述の範囲とすることにより、薬液吐出ノズル４の先端開口部５に、薬液Ａを、表面張力と薬液タンク１内が弱い負圧状態になることにより保持させ、先端開口部５が、カランから給水された水に接している間に、確実に薬液Ａを水との置換により吐出させることが可能となる。
【００２３】
水洗トイレのフラッシュ１回あたりの薬液Ａの吐出量は、薬液の効果が十分に発揮される量であって、過剰な薬液の吐出を抑制してトイレでの使用持続回数を多くするため、適切な量とすることが好ましい。このため、長期間、薬効を持続して吐出させるためには、本発明の範囲内で薬液Ａの比重、粘度及び薬液吐出ノズル４の先端開口部５の口径を適宜組み合わせて使用することが好ましい。例えば、薬液Ａの比重が１．０８の場合、
薬液Ａの粘度（２０℃）が５０〜３００ｍＰa・s のときは、薬液吐出ノズル４の先端開口部５の口径を１〜３ｍｍとするのが好ましく、
薬液Ａの粘度（２０℃）が３００〜５００ｍＰa・sのときは、ノズルの口径を２〜４ｍｍ、
薬液Ａの粘度（２０℃）が５００〜１５００ｍＰa・sのときは、ノズルの口径を３〜６ｍｍ、
薬液Ａの粘度（２０℃）が１５００〜２０００ｍＰa・sのときは、ノズルの口径を５〜７ｍｍ、
薬液Ａの粘度（２０℃）が２０００ｍＰa・s以上のときは、ノズルの口径を６〜８ｍｍとするのが好ましい。
【００２４】
また、比重を大きくする場合には、薬液の吐出量が多くなるため、粘度を低く、ノズルの口径を小さくすることにより、薬液の適切な吐出量の調整を行うことが好ましい。
【００２５】
薬液Ａとしては、水道水に含まれる塩素に対して耐性があり、人体に安全な青色、緑色等の着色剤を含有するものが好ましい。また、その着色剤による着色の程度は、薬液Ａがロータンク内に混入される濃度ではその色を視認することができなくても、少なくとも薬液タンク１に充填される濃度では視認することができ、その充填時の色と使用を終了すべき希釈時の色とを目視で区別できる程度とする。
【００２６】
薬液タンク１としては、そこに充填された薬液Ａの色が水で希釈されることにより変化していく様子を薬液タンク１外から観察できるように、透明又は半透明材料から形成されているものが好ましい。
【００２７】
キャップ３の底部には、カランから供給された水を薬液吐出ノズル４の方に流し、薬液吐出ノズル４に沿って流下させる水誘導構造を設けることが好ましい。図１の薬液吐出容器１００Ａには、その一態様として、薬液吐出ノズル４を中心として放射状に起立した８枚の板状部７がこのキャップ３と一体に設けられている。また、キャップ３には足６が一体的に設けられ、さらに、薬液吐出ノズル４の周囲には、該薬液吐出ノズル４に沿って伸び、その先端が薬液吐出ノズル４の先端開口部５よりも突出した４枚の水量調整板８が設けられている。
【００２８】
この板状部７や水量調整板８は、本発明において必要に応じて設けられる。薬液吐出ノズル４を中心として放射状に板状部７を設けることにより、ロータンクの手洗い部２０の形状、手洗水の水量、水圧、手洗い部２０における薬液吐出容器１００Ａの載置位置等によらず、カランから供給された水を、板状部７に沿わせて薬液吐出ノズル４の方に流し、次いで、薬液吐出ノズル４に沿わせてロータンク内に流下させることができる。また、キャップ３の底面が吸水口２１を塞ぐことが防止されるので、手洗い部２０に水が溢れることを防止できる。
【００２９】
また、水量調整板８を、薬液吐出ノズル４の先端開口部５よりも突出させて設けることにより、薬液吐出ノズル４の先端開口部５にカランからの水Ｗが過剰に当たり続け、薬液Ａの過剰吐出が引き起こされることを防止することができる。
【００３０】
なお、水誘導構造や水量調整板８の態様は、上述の例に限らない。例えば、水誘導構造をなす板状部７は、薬液吐出ノズル４を中心として放射状に起立したものである限り、その形状は平板でも曲板でもよい。板状部７の数は、８枚に限らず複数枚とすることができ、４〜１２枚とすることが好ましい。水量調整板８も４枚に限らず複数枚とすることができ、３〜８枚とすることが好ましい。
【００３１】
薬液タンク１上には、着脱自在に天板１０が設けられている。この天板１０は、本発明において、カランの水が薬液吐出容器１００Ａの真上から供給される場合に、水Ｗが薬液タンク１に直接的に当たることを防止し、それにより、薬液タンク１からの薬液Ａの吐出量を、水温あるいは気温の変動によらず、安定化させるため、必要に応じて設けられる。また、カランから供給された水は天板１０に沿って放射状に流れ、美しい水のベールの外観を呈するので、薬液吐出容器１００Ａの使用感を向上させる点からも好ましい。
【００３２】
また、この天板１０は、薬液タンク１内の薬液Ａが水で所定の割合に希釈されたときの薬液タンク１の外観色を呈するように、着色部材から形成されている。このような天板１０の形成方法としては、例えば、まず、当該薬液Ａについて十分な薬効を得るために最低限必要とされる薬液濃度を調べ、次いで、その濃度の薬液（例えば、当初の薬液を５％に希釈したもの）を薬液タンク１に充填する。そしてこの薬液を充填した薬液タンク１の外観色に、天板１０を形成する樹脂材料の色を合わせこんでいく。このように天板１０の色調を調整することにより、薬液タンク１の外観色と天板１０の色との対比から、薬液タンク１内の薬液Ａの使用を終了すべき時期を容易に判断することができる。
【００３３】
また、このような判断をいっそう容易に行えるようにするため、天板１０は、該天板１０を通して薬液タンク１を明瞭に透視することのできる透明材料よりも、透視することのできない不透明材料又は適度な隠蔽性の半透明材料から形成することが好ましい。
【００３４】
なお、天板１０の色調の調整方法としては、上述のように天板１０を形成する樹脂材料の色を調整する他、天板１０に所定の色のシールを貼付することも考えられるが、天板１０と別個にシールを形成する分、コスト高となり、また、頻繁にカランからの水に晒されるので、貼付したシールが脱落するおそれがあるため、シールの貼付によらず、天板１０自体を所定の色に形成することが好ましい。
【００３５】
このトイレ洗浄用品２００Ａの使用方法としては、まず、カランからの水で希釈されていない薬液Ａが薬液タンク１に収容されている状態において、トイレ洗浄用品２００Ａを水洗トイレの手洗い付きロータンクの手洗い部２０の吸水口２１上に載置し、薬液吐出ノズル４を吸水口２１に挿入する。この状態で、薬液吐出ノズル４の先端開口部５には、表面張力と薬液タンク１内の弱い負圧により薬液Ａが保持されている。
【００３６】
なお、ロータンクの吸水口２１上にカランが設けられ、薬液タンク１の上方から水が供給される場合について、以下に説明するが、ロータンクの吸水口２１上にはカランがなく、したがって、ロータンクの吸水口２１に薬液吐出ノズル４を挿入した場合に、薬液タンク１の側方のカランから水が供給される場合でも、このトイレ洗浄用品２００Ａは使用することができる。
【００３７】
図２に示すように、トイレ洗浄用品２００Ａを手洗い部２０に載置後、水洗トイレの水がフラッシュされ、カランから水が供給されると、水Ｗは、まず、天板１０に沿って放射状に流れ、次いで薬液タンク１の側面に沿って手洗い部２０に流れ込む。手洗い部２０に流れ込んだ水Ｗは、板状部７に沿って薬液吐出ノズル４の方に流れ、薬液吐出ノズル４の先端開口部５を洗うようにしてロータンク内に入る。したがって、先端開口部５に保持されていた薬液Ａが水Ｗでさらわれ、確実にロータンク内に混入する。そして薬液タンク１からロータンク内に混入した薬液の量に応じて、先端開口部５に付着している水、薬液の希釈液又は空気が直ちに薬液タンク１内に入り、薬液吐出ノズル４の先端開口部５には薬液Ａが保持される。
【００３８】
カランからの給水が止まると薬液吐出ノズル４の先端開口部５に保持されている薬液Ａをさらう水の流れがなくなり、この流れによるロータンク内への薬液Ａの吐出も止まる。その後、水温と気温の関係で薬液タンク１のヘッドスペースが膨張した場合には、随時、薬液Ａがロータンク内に吐出される。
【００３９】
以降、カランからの給水によりこの作用が繰り返され、薬液Ａがロータンク内に混入し、次第に薬液タンク１内の薬液が希釈されていく。したがって、図３（ａ）に示すように、当初、薬液タンク１の外観色と、天板１０の色とは明確に区別されたのが、次第に双方の色差がなくなり、ついには同図（ｂ）に示すように、薬液タンク１の外観色と天板１０の色とが殆ど同じになる。この時点で、薬液吐出容器１００Ａの使用者は、薬液Ａが十分な薬効をもたない程度に希釈されたことを知り、その薬液タンク１内の残量の如何に関わらず、その薬液Ａの使用を止めることができる。したがって、この薬液吐出容器１００Ａによれば、十分な薬効のない薬液Ａを使い続けるという事態を防止することができる。
【００４０】
本発明の薬液吐出容器は、この他種々の態様をとることができる。例えば、図４に示す薬液吐出容器１００Ｂのように、上述の図１の薬液吐出容器１００Ａにおいて、天板１０に、薬液Ａが水で希釈される前の薬液タンク１の外観色を呈する領域１０ａと、使用を終了すべき程度に薬液Ａが希釈されたときの薬液タンク１の外観色を呈する領域１０ｂを形成してもよく、あるいはさらに、これらの領域の中間色の領域を形成してもよい。これにより、薬液吐出容器１００Ｂの使用者が、その使用中に、使い始めの薬液タンク１の外観色を明確に覚えていなくても、薬液タンク１の外観色を、随時、薬液Ａが希釈される前の薬液タンク１の外観色の領域１０ａ、使用を終了すべき時期の薬液タンク１の外観色の領域１０ｂ、あるいはさらにこれらの中間色の領域と見比べることにより、薬液Ａの使い始め（図４（ａ））に対して使い終わり（図４（ｂ））を明確に区別することが可能となる。
【００４１】
図５は、本発明の異なる態様の薬液吐出容器１００Ｃの側面図である。この薬液吐出容器１００Ｃは、天板を備えておらず、キャップ３が、使用を終了すべき程度に薬液Ａが希釈されたときの薬液タンク１の外観色を呈する着色部材から形成されている。この薬液吐出容器１００Ｂによっても、薬液タンク１の外観色とキャップ３の色の対比により、薬液Ａの使い始め（同図ａ）と使い終わり（同図ｂ）を明確に区別することができ、薬液Ａの使用を終了すべき時期を的確に知ることができる。
【００４２】
このように、本発明の薬液吐出容器において、薬液が水で希釈されたときの薬液タンクの外観色を有する着色部材をどこに設けるかは、その着色部材の色を薬液タンク１の外観色と対比することができる限り、特に制限はない。
【００４３】
さらに、本発明においては、上述のような着色部材を必ずしも設けなくてもよい。例えば、薬液タンクに、希釈前よりも希釈後の方が視認性が向上する着色領域を形成し、それにより薬液の使用を終了すべき時期がわかるようにしてもよい。より具体的には、図６に示す薬液吐出容器１００Ｄのように、希釈前の薬液とほぼ同じ色で「ＥＮＤ」と記載されているプレート１１を予め薬液タンク１内に起立させ、薬液Ａを充填する。これにより、「ＥＮＤ」の文字は、薬液Ａが希釈されていない状態では、薬液Ａで隠蔽されて薬液タンク外からは視認できないが（同図（ａ））、薬液が希釈されるにつれて背景から浮き出し、薬液の使用を終了すべき時期には明瞭に視認できるようになり、薬液の使用を終了すべき時期を知ることが可能となる（同図（ｂ））。
【００４４】
また、薬液タンク１や薬液吐出ノズル４等の個々の構成部品は、図示した態様に限らず、種々の形状をとることができる。
【実施例】
【００４５】
（１）薬液の比重と吐出量との関係
薬液の比重と吐出量との関係を調べるために、まず、図１の薬液吐出容器１００Ａ（薬液タンク容量９５ｍＬ、薬液吐出ノズルの先端開口部の径６．０ｍｍ及び１．０ｍｍ）を作製した。
【００４６】
一方、表１のように、粘度（２０℃）が１００ｍＰａ・ｓで比重が異なる１Ａ〜１Ｆの６種の薬液、及び粘度（２０℃）が７ｍＰa・sで比重が異なる１Ｇ〜１Ｉの３種の薬液を調製し、それぞれ薬液吐出容器に８０ｇ充填した。そして、薬液吐出ノズルの先端開口部を１Ｌの静水に１分間浸漬し（室温２３℃、水温２３℃、薬液温度２３℃）、その水の青色の吸光度（６３０ｎｍ）を測定し、その測定値から、薬液タンクから１Ｌの静水中に吐出した薬液量を算出した。この結果を図７に示す。
【００４７】
図７から、薬液比重を１．００以上とすることにより、薬液タンクから水中に薬液を吐出させられること、特に口径６ｍｍ（粘度１００ｍＰa・s）で比重１．０５以上とすることにより、薬液吐出速度が大きくなることがわかる。
【００４８】
［表１−１］
2005036495.tif 000003
【００４９】
［表１−２］
2005036495.tif 000004
【００５０】
(*1)エコーガムＴ、大日本製薬社
(*2)アルキルグルコシド、直鎖アルキル基の炭素数が１２と１４の混合物。糖平均縮合度１．２（縮合度１と２の混合物）
(*3)プロキセルＢＤ、アビシア社
【００５１】
（２）薬液の粘度と吐出量との関係
薬液の粘度と吐出量との関係を調べるために、表２のように、粘度（２０℃）が異なる２Ａ〜２Ｅの５種の薬液を調製した。
【００５２】
この５種の薬液８０ｇを、それぞれ、（１）で作製した薬液吐出容器（薬液タンク容量９５ｍＬ、薬液吐出ノズルの先端開口部の径６．０ｍｍ）に充填し、（１）と同様に、薬液吐出ノズルの先端開口部を１Ｌの静水に１分間浸漬し、その水の青色の吸光度を測定し、その測定値から、薬液タンクから１Ｌの静水中に吐出した薬液量を算出した。この結果を図８に示す。
【００５３】
図８から、薬液吐出ノズルの先端開口部の径が６．０ｍｍの場合には、薬液粘度を１０〜５００ｍＰａ・ｓとすることにより、薬液タンクからの薬液吐出速度が大きくなり、薬液粘度を５００〜２０００ｍＰａ・ｓとすることにより薬液吐出速度が適度に抑制されることがわかる。
【００５４】
［表２］
2005036495.tif 000005
【００５５】
(*1)エコーガムＴ、大日本製薬社
(*2)アルキルグルコシド、直鎖アルキル基の炭素数が１２と１４の混合物。糖平均縮合度１．２（縮合度１と２の混合物）
(*3)プロキセルＢＤ、アビシア社
【００５６】
（３）薬液吐出ノズルの先端開口部の径と吐出量との関係
薬液吐出ノズルの先端開口部の径と吐出量との関係を調べるために、薬液吐出ノズルの先端開口部の径が１ｍｍ、２ｍｍ、３ｍｍ、４ｍｍ、６ｍｍ、７ｍｍ、８ｍｍの７種の薬液吐出容器を（１）と同様に作製した。
【００５７】
一方、表３のように、２種の薬液３Ａ、３Ｂを調製し、この２種の薬液８０ｇを、それぞれ６種の薬液吐出容器に充填し、（１）と同様に、薬液吐出ノズルの先端開口部を１Ｌの静水に１分間浸漬し、その水の青色の吸光度を測定し、その測定値から、薬液タンクから１Ｌの静水中に吐出した薬液量を算出した。この結果を図９に示す。
【００５８】
図９から、粘度が５００ｍＰａ・sの場合には、先端開口部の径を４〜６ｍｍとすることにより、薬液タンクからの薬液吐出速度が大きくなることがわかる。粘度が１００ｍＰa・s の場合には、先端開口部の径を３〜７ｍｍとすることにより、薬液タンクからの薬液吐出速度が大きくなることがわかる。
【００５９】
［表３］
2005036495.tif 000006
【００６０】
(*1)エコーガムＴ、大日本製薬社
(*2)アルキルグルコシド、直鎖アルキル基の炭素数が１２と１４の混合物。糖平均縮合度１．２（縮合度１と２の混合物）
(*3)プロキセルＢＤ、アビシア社
【産業上の利用可能性】
【００６１】
本発明の薬液吐出容器は、水洗トイレの手洗い付きロータンクである限り、手洗い部におけるカランや吸水口の位置等に関わらず、使用することができる。
【図面の簡単な説明】
【００６２】
【図１】本発明のトイレ洗浄用品を正面から見た部分切り欠き断面図（ａ）、側面図（ｂ）、上面図（ｃ）及び底面図（ｄ）である。
【図２】本発明のトイレ洗浄用品をロータンクの手洗い部に載置した状態の断面図である。
【図３】本発明のトイレ洗浄用品において、薬液タンクの外観色の変化を示す上面図である。
【図４】異なる態様の薬液吐出容器において、薬液タンクの外観色の変化を示す上面図である。
【図５】異なる態様の薬液吐出容器において、薬液タンクの外観色の変化を示す上面図である。
【図６】さらに異なる態様の薬液吐出容器において、薬液タンク内のプレートの視認性の変化を示す側面図である。
【図７】薬液の比重と吐出量との関係図である。
【図８】薬液の粘度と吐出量との関係図である。
【図９】薬液吐出ノズルの先端開口部の径と吐出量との関係図である。
【図１０】薬液吐出容器の斜視図（ａ）、及びロータンクの手洗い部に載置した薬液吐出容器の断面図（ｂ）である。
【符号の説明】
【００６３】
１  薬液タンク
２  薬液タンクの底部開口部
３  キャップ
４  薬液吐出ノズル
５  先端開口部
１０    天板
１１    プレート
２０  手洗い部
２１  吸水口
１００Ａ、１００Ｂ、１００Ｃ、１００Ｄ    薬液吐出容器
２００Ａ    トイレ洗浄用品
Ａ  薬液
Ｗ  水
【図１】
2005036495.tif 000007
【図２】
2005036495.tif 000008
【図３】
2005036495.tif 000009
【図４】
2005036495.tif 000010
【図５】
2005036495.tif 000011
【図６】
2005036495.tif 000012
【図７】
2005036495.tif 000013
【図８】
2005036495.tif 000014
【図９】
2005036495.tif 000015
【図１０】
2005036495.tif 000016